(57)【要約】【課題】分配する電線の分配箱と太い電電に跨り、グラスファイバー回線をカラスに悪戯するのと、クマゼミにドロップ線が悪戯するに近寄れないようにした鳥害防止用保護体。【解決手段】分配箱のグラスファイバー回線と、グラスファイバー回線とこれに近傍の太い電線の両方の上方に先端を突き出す鋭利な波状波形部を設けた電線保護体の下部の波状波形部と電線保護体係止片のあいだを開いてグラスファイバー回線や太い電線とドロップ線に挿入装着、電線保護体を接続させ接続包含させてカラスやクマゼミを排除させた鳥害防止用電線保護体。【選択図】図５
0003125623.tif 000002
【実用新案登録請求の範囲】
【請求項１】
電線保護体１は合成樹脂製の所定長さの上方先端に鋭利にした突き出す波状波形部２を設けた電線保護体１の下部に長方形型又は丸型形状とした波状波形部２と電線保護体係止片７のあいだを開いて挿入装着させるように設け、当該挿入したグラスファイバー回線６又は太い電線９を波状波形部２と電線保護体７の取付穴８、８を介してビス止め装着し、隣り合う電線保護体１の長方形型又は丸型形状の同形状どうしを継手の係合突起部３と係合凹部４の取付穴８、８を介してビス止め電線保護体１を連接接続させ、ドロップ線１１に電線保護体１の下部の長方形型形状とした波状波形部２と電線保護体係止片７のあいだを開いて挿入装着させるように設け、当該挿入したドロップ線を波状波形部２と電線保護体係止片７の取付穴８、８を介してビス止め包含装着し、当該グラスファイバー回線６とドロップ線１１と太い電線９をそれぞれ挿入装着し、電線保護体１の最前部の切断面部５から始まり中間部の電線保護体１で長手方向に継手の係合突起部３と係合凹部４で所要数の電線保護体１を接続させ電線保護体１の最後部の切断面部５までの距離に対応させるように連続包含させてなる鳥害防止用電線保護体。
【考案の詳細な説明】
【技術分野】
【０００１】
本考案は電柱に張り渡した多い情報を早くするグラスフャイバー回線を、分配箱から各家庭に繋ぐグラスファイバー回線を、鳥類のカラス等が遊戯し喰いちぎり切断される事例が報告されており、此れを防ぐ鳥害防止用保護体に係る。
【背景技術】
【０００２】
本考案は電柱上部に張り渡した多い情報を早くするグラスフャイバー網を幹線から家庭用回線を分ける分配箱の周辺で、グラスフャイバー網の回線が鳥類のカラス等による被害に遭っている事例が報告されて、此れに対処するグラスフャイバー網の回線をカラスからの被害を無くす、鳥類のカラス等が飛来しないように防ぐ鳥害防止用電線保護体に係る。
【考案の開示】
【考案が解決しようとする課題】
【０００３】
本考案は、最近は市街地の電柱に張り巡らされた分配箱から各家庭に繋ぐグラスファイバー回線が、鳥類のカラスが分配箱上に跨り、太い電線に跨り近傍のグラスファイバー回線が鳥類のカラスに悪戯し喰いちぎるのと、クマゼミが木の枝と間違えて産卵管をドロップ線の細いグラスファイバーに突き刺し、該グラスファイバーを傷つけられる事例が多発しており、このような課題を解決する鳥害防止用保護体を提供するものである。
【課題を解決するための手段】
【０００４】
本考案は、分配箱に近傍のグラスファイバー回線と、電柱に張り渡したグラスファイバー回線の近傍に太い電線がある場合には、電線保護体の下部を長方形型又は丸型形状とした波状波形部と電線保護体係止片のあいだを開いて挿入ビス止め装着して、分配箱に電線保護体の最前部の切断面部を当接させ所要数連接接続し最後部の切断面部までとした電線保護体の上方方向に突き出させた鋭利な波状波形部を分配箱近傍に設けてカラスが分配箱上に跨っても、波状波形部で近寄れず悪戯を免れ、電柱回りでグラスファイバー回線に近傍にある太い電線に跨りカラスによる悪戯し食いちぎりされる恐れのある場合には、両グラスファイバー回線と太い電線に、電線保護体の下部の長方形型又は丸型形状とした波状波形部と電線保護体係止片のあいだを開いて挿入ビス止め装着し、隣り合う電線保護体を接続する継手の係合突起部と係合凹部で長手方向に連接接続させ、グラスファイバ回線と太い電線に挿入包含する電線保護体の鋭利に先端を上方方向へと波状波形部を突き出すようにしてカラスが太い電線に近寄れず悪戯し食いちぎることが出来ず損傷を防ぎ、分配箱から各家庭の間を繋ぐドロップ線に長方形型形状の下部の長方形型形状の下部の波状波形部と電線保護体係止片のあいだを開きドロップ線を挿入包含しビス止め装着させてクマゼミを近寄らせないようにしたものである。
【考案の効果】
【０００５】
本考案は、上方の先端に鋭利にした突き出す波状波形部を設けた電線保護体の下部に長方形型又は丸型形状とした波状波形部と電線保護体係止片のあいだを開いてグラスファイバー回線や太い電線を挿入装着し、電線保護体の接続させる継手を同形状どうしにして、グラスファイバー回線には長方形型形状を、太い電線には丸型形状で挿入ビス止め装着、電線保護体は接続する継手の係合突起部と係合凹部とで長手方向に連接接続させ、電線保護体の最前部の切断面部で始まり電線保護体の最後部の切断面部までの、中間部の電線保護体で連接接続させ距離に対応させ、分配箱と太い電線とグラスファイバー回線に電線保護体を装着して上方に突き出した鋭利な波状波形部を設ければ分配箱に跨っても悪戯の切断を免れ、太い電線には近寄るのを免れ、カラスは波状波形部の上方の鋭利な先端が障害となり悪戯し食いちぎるのを免れ、グラスファイバー回線の損傷を防ぐことが出来、分配箱から各家庭の間を繋ぐドロップ線に対しても、長方形型形状の下部の波状波形部と電線保護体係止片のあいだを開きドロップ線を挿入包含しビス止め装着させたからクマゼミによるドロップ線内のグラスファイバーの損傷を電線保護体により鳥害を防止する効果がある。
【考案を実施するための最良の形態】
【０００６】
以下、本考案の実施の形態を図１〜図１１に基づいて説明する。
【実施例】
【０００７】
本考案は、電線保護体１は合成樹脂製の所定長さの上方の先端に突き出した鋭利にした波状波形部２を設けた電線保護体１の下部の長方形型又は丸型形状とした波状波形部２と電線保護体係止片７のあいだを開いて挿入装着させるように設け、挿入したグラスファイバー回線６或いはドロップ線１１、又は太い電線９を波状波形部２と電線保護体係止片７の取付穴８、８を介してビス止め装着し、当該装着した隣り合う電線保護体１の長方形型又は丸型形状の同形状どうしで接続した継手の係合突起部３と係合凹部４の取付穴８、８を介したビス止め電線保護体１の最前部の切断面部５から始まり中間部の電線保護体１で長手方向に継手の係合突起部３と係合凹部４で所要数の電線保護体１を接続させ電線保護体１の最後部の切断面部５までの距離を、最前部と中間部及び最後部の電線保護体で連接包含させて対応させてなる鳥害防止用電線保護体とする。
本考案を図により説明すると、１は所要長さの先端に鋭利な波状波形部２を上方方向へ突き出すようにした合成樹脂製の電線保護体であり、電線保護体１の下部の長方形型又は丸型形状とした波状波形部２と電線保護体係止片７のあいだを開いて、図１で長方形型形状をしたグラスファイバー回線６を挿入ビス止め装着するのと、ドロップ線１１を挿入ビス止め包含装着するようにし、又、図２において丸型形状をした太い電線９を挿入ビス止め装着するようにしたものである。
図３においては電線保護体１を接続する継手の係合突起部３を設け、又、もう片方には接続する係合凹部４を設け、隣り合う電線保護体１を接続する継手で係合都突起部３と係合凹部４の取付穴８、８を介してビス止め長方形型又は丸型形状の同形状どうしで接続するようにしたものである。（この図は長方形型形状の電線保護体である）
図４は、丸型形状の左に係合突起部３を、右に係合凹部４を設けた中間部に配置する電線保護体１であり、この中間部の両側に設けた係合突起部３と凹部４で、中間部の電線保護体１で長手方向に接続対応させるようにしたものである。
図５、６においては電線保護体１の長方形型又を丸型形状の同形状どうしでグラスフャイバー回線６或いはドロップ線１１、又は、太い電線９に係合突起部３と係合凹部４で接続させ、もう一方には切断面部５を設けて、長手方向に接続した電線保護体１の最後部、最前部に切断面部５で使い分ける。
電線保護体１の最前部の切断面部５を分配箱１０に当接させ電線保護体１をグラスファイバー回線６に挿入装着する時に利用するものである。
図７は、分配箱１０から、又は幹線から各家庭の間を繋ぐドロップ線１１という細いケーブルで、ポリエチレンの皮膜の中にグラスファイバーの心線（ガラス）が通っており、クマゼミの硬い産卵管１２を、ケーブル表面の溝から刺し、真下にある心線は的中し、グラスファイバーに損傷になる例が多発していることがわかった。
図８は、電柱に張り渡した分配箱１０から分配されたグラスファイバー回線６が分配箱１０に跨ったカラスにより悪戯され食いちぎられた図である。
図９は、本考案の分配箱１０回りで、分配箱１０に切断面部５を当接させ、分配箱１０からカラスに悪戯され食いちぎられる恐れの近傍までを電線保護体１で、その鋭利な先端を上方方向に向かい波状波形部２を突き出すようにして分配箱１０でカラスが悪戯しに近寄れないようにしたものである。
図１０は、電柱に張られた太い電線９があるために、太い電線９に跨ったカラスによりその近傍にあるグラスファイバー回線６が悪戯され、食いちぎられる図である。
図１１は、本考案の長手方向にグラスフャイバー回線６又は太い電線９に、上方方向へ鋭利な先端を突き出すように挿入装着し、グラスフャイバー回線６や太い電線９を、電線保護体１の下部の長方形型又は丸型形状の波状波形部２と電線保護体係止片７のあいだを開いて長方形型形状のグラスフャイバー回線６或いはドロップ線１１や、丸型形状をした太い電線９に挿入し、波状波形部２と電線保護筒係止片７の取付穴８、８を介してビス止めして電線保護体１をグラスフャイバー回線６或いはドロップ線１１又は太い電線９に挿入ビス止め装着してなる鳥害防止用保護体１としたものである。
【産業上の利用可能性】
【０００８】
本考案によれば、分配箱と太い電線及びグラスファイバー回線に対し鋭利な波状波形部を上方方向に突き出させて挿入装着した鳥害防止用電線保護体により分配箱上でカラスは、グラスファイバー回線に悪戯し食いちぎる断線を防ぎ、各家庭に繋ぐドロップ線には長方形型形状の下部の取着部と電線保護体係止片の間を開いて挿入ビス止め、長手方向へと連接接合、包含装着して全ドロップ線を電線保護体を包含装着してクマゼミが近寄ることが出来無いようにした鳥害防止用電線保護体にしたから産業上の利用可能性、効果は大である。
【図面の簡単な説明】
【０００９】
【図１】本考案の鳥害防止用電線保護体で長方形型形状の電線保護体の断面図である。
【図２】本考案の鳥害防止用電線保護体の丸型形状の電線保護体の断面図である。
【図３】本考案の長方形型形状の電線保護体の継手の係合突起部と係合凹部の図である。
【図４】本考案の丸型形状の電線保護体の継手の係合突起部と係合凹部の中間部の電線保護体の図である。
【図５】本考案の長方形型形状の電線保護体の継手の係合突起部の最前部の電線保護体の図である。
【図６】本考案の丸型形状の電線保護体の継手の係合凹部の最後部の電線保護体の図である。
【図７】本考案に係るドロップ線と産卵管の図である。
【図８】本考案に係る電柱幹線とグラスファイバー回線とカラスの関連図である。
【図９】本考案の電柱の分配箱と連接させ鋭利な波状波形部を突き出す電線保護体をグラスファイバー回線に挿入装着させた図である。
【図１０】に係る電柱幹線とグラスファイバー回線とカラスとの関連図である。
【図１１】本考案の電柱のカラスに跨る太い電線に近傍にある、両グラスファイバー回線と太い電線に、鋭利な波状波形部を突き出す電線保護体を挿入装着させた図である。
【符号の説明】
【００１０】
１      電線保護体                      ２      波状波形部
３      係合突起部                      ４      係合御凹部
５      切断面部                        ６      グラスフャイバー回線
７      電線保護体係止片                ８      取付穴
９      太い電線                        １０    分配箱
１１    ドロップ線                      １２    産卵管
【図１】
0003125623.tif 000003
【図２】
0003125623.tif 000004
【図３】
0003125623.tif 000005
【図４】
0003125623.tif 000006
【図５】
0003125623.tif 000007
【図６】
0003125623.tif 000008
【図７】
0003125623.tif 000009
【図８】
0003125623.tif 000010
【図９】
0003125623.tif 000011
【図１０】
0003125623.tif 000012
【図１１】
0003125623.tif 000013